(57)【要約】      （修正有）【課題】安価な費用で容易に仮設電柱用のポールを設置できる仮説電柱支持具を提供する。【解決手段】一対の板状部材１１、１２を有し、一方の板状部材が有する面と他方の板状部材が有する面とが当接した状態から離反した状態へと開閉可能に、接続手段１５を介して接続され、一方の板状部材が有する面のうち、他方の板状部材と当接する当接面とは反対側の面側に突出し、仮設電柱用ポールを連結可能に構成された第１の連結部材１３と、他方の板状部材が有する面のうち、一方の板状部材と当接する当接面とは反対側の面側に突出し、地面に埋没する埋没用ポールを連結可能に構成された第２の連結部材１４と、を有する。【選択図】図１
0003205639.tif 000002
【実用新案登録請求の範囲】
【請求項１】
一対の板状部材を有し、前記一対の板状部材は、前記一対の板状部材のうちの一方の板状部材が有する面と他方の板状部材が有する面とが当接した状態から離反した状態へと開閉可能に、接続手段を介して接続されており、
前記一方の板状部材が有する面のうち、当該一方の板状部材と他方の板状部材とを当接させた際に当該他方の板状部材と当接する当接面とは反対側の面側に突出し、仮設電柱用ポールを連結可能なよう構成された第１の連結部材と、
前記他方の板状部材が有する面のうち、当該他方の板状部材と前記一方の板状部材とを当接させた際に当該一方の板状部材と当接する当接面とは反対側の面側に突出し、地面に埋没する埋没用ポールを連結可能なよう構成された第２の連結部材と、
を有する
仮設電柱支持具。
【請求項２】
請求項１に記載の仮設電柱支持具であって、
前記一方の板状部材と前記他方の板状部材とを当接させた状態で固定する固定手段を有する
仮設電柱支持具。
【請求項３】
請求項１又は２に記載の仮設電柱支持具であって、
前記第１の連結部材及び前記第２の連結部材の長手方向に対する垂直方向の断面の外形は円形形状であり、
前記仮設電柱用ポール及び前記埋没用ポールは円筒形状であり、
前記仮設電柱用ポールの円筒内部に前記第１の連結部材を挿通することで、前記仮設電柱用ポールと前記第１の連結部材とを連結し、前記埋没用ポールの円筒内部に前記第２の連結部材を挿通することで、前記埋没用ポールと前記第２の連結部材とを連結する
仮設電柱支持具。
【請求項４】
一対の板状部材を有し、前記一対の板状部材は、前記一対の板状部材のうちの一方の板状部材が有する面と他方の板状部材が有する面とが当接した状態から離反した状態へと開閉可能に、接続手段を介して接続されており、前記一方の板状部材が有する面のうち、当該一方の板状部材と他方の板状部材とを当接させた際に当該他方の板状部材と当接する当接面とは反対側の面側に突出し、仮設電柱用ポールを連結可能なよう構成された第１の連結部材と、前記他方の板状部材が有する面のうち、当該他方の板状部材と前記一方の板状部材とを当接させた際に当該一方の板状部材と当接する当接面とは反対側の面側に突出し、地面に埋没する埋没用ポールを連結可能なよう構成された第２の連結部材と、を有する仮設電柱支持具と、
前記第１の連結部材と連結される仮設電柱用ポールと、
前記第２の連結部材と連結される埋没用ポールと、
を有する
仮設電柱。
【考案の詳細な説明】
【技術分野】
【０００１】
本考案は、仮設電柱を支持する際に用いる仮設電柱支持具に関する。
【背景技術】
【０００２】
建設現場などに電気を引き込む際には、仮設電柱を用いて電気線を引き込むことが知られている。ここで、仮設電柱を設置する作業は重労働である。そこで、容易な方法で仮設電柱を建てるための技術が考えられている。
【０００３】
例えば、特許文献１には、短管と長管とが各々フランジを持ち、両フランジが蝶番で軸止めされ可能に構成された仮設電柱が記載されている。特許文献１によると、短管を穴の中に入れ、長管を枢動させて立て、両フランジをボルトで固定する。このような構成により、一人の作業員により仮設電柱を設置することが可能となる。
【先行技術文献】
【特許文献】
【０００４】
【特許文献１】実開平０６−５８０６４号公報
【考案の概要】
【考案が解決しようとする課題】
【０００５】
特許文献１に記載されている技術の場合、既存で用いられている仮設電柱用のポールを流用することは出来ず、専用の構造を有する仮設電柱を予め製造しておくことが必要になる。そのため、費用が高価になるおそれがあった。
【０００６】
このように、仮設電柱を設置する際の費用が高価になるおそれがある、という問題が生じていた。換言すると、安価な費用で容易に仮設電柱用のポールを設置することが難しい、と言う問題が生じていた。
【０００７】
そこで、本考案の目的は、安価な費用で容易に仮設電柱用のポールを設置することが難しい、という問題を解決することができる仮設電柱支持具を提供することにある。
【課題を解決するための手段】
【０００８】
本考案の一形態である仮設電柱支持具は、
一対の板状部材を有し、前記一対の板状部材は、前記一対の板状部材のうちの一方の板状部材が有する面と他方の板状部材が有する面とが当接した状態から離反した状態へと開閉可能に、接続手段を介して接続されており、
前記一方の板状部材が有する面のうち、当該一方の板状部材と他方の板状部材とを当接させた際に当該他方の板状部材と当接する当接面とは反対側の面側に突出し、仮設電柱用ポールを連結可能なよう構成された第１の連結部材と、
前記他方の板状部材が有する面のうち、当該他方の板状部材と前記一方の板状部材とを当接させた際に当該一方の板状部材と当接する当接面とは反対側の面側に突出し、地面に埋没する埋没用ポールを連結可能なよう構成された第２の連結部材と、
を有する
という構成を採る。
【０００９】
また、上記仮設電柱支持具は、
前記一方の板状部材と前記他方の板状部材とを当接させた状態で固定する固定手段を有する
という構成を採る。
【００１０】
また、上記仮設電柱支持具は、
前記第１の連結部材及び前記第２の連結部材の長手方向に対する垂直方向の断面の外形は円形形状であり、
前記仮設電柱用ポール及び前記埋没用ポールは円筒形状であり、
前記仮設電柱用ポールの円筒内部に前記第１の連結部材を挿通することで、前記仮設電柱用ポールと前記第１の連結部材とを連結し、前記埋没用ポールの円筒内部に前記第２の連結部材を挿通することで、前記埋没用ポールと前記第２の連結部材とを連結する
という構成を採る。
【００１１】
また、本考案の他の形態である仮設電柱は、
一対の板状部材を有し、前記一対の板状部材は、前記一対の板状部材のうちの一方の板状部材が有する面と他方の板状部材が有する面とが当接した状態から離反した状態へと開閉可能に、接続手段を介して接続されており、前記一方の板状部材が有する面のうち、当該一方の板状部材と他方の板状部材とを当接させた際に当該他方の板状部材と当接する当接面とは反対側の面側に突出し、仮設電柱用ポールを連結可能なよう構成された第１の連結部材と、前記他方の板状部材が有する面のうち、当該他方の板状部材と前記一方の板状部材とを当接させた際に当該一方の板状部材と当接する当接面とは反対側の面側に突出し、地面に埋没する埋没用ポールを連結可能なよう構成された第２の連結部材と、を有する仮設電柱支持具と、
前記第１の連結部材と連結される仮設電柱用ポールと、
前記第２の連結部材と連結される埋没用ポールと、
を有する
という構成を採る。
【考案の効果】
【００１２】
本考案は、以上のように構成されることにより、安価な費用で容易に仮設電柱用のポールを設置することが難しい、という問題を解決することができる仮設電柱支持具を提供することが出来る。
【図面の簡単な説明】
【００１３】
【図１】本考案の第１の実施形態に係る仮設電柱支持具の構成の一例を示す図である。
【図２】図１で示す仮設電柱支持具と、仮設電柱支持具に挿入される仮設電柱用ポール及び埋没用ポールの構成の一例を示す図である。
【図３】本考案の第１の実施形態に係る仮設電柱支持具を用いて仮設電柱を設置する際の流れの一例を説明するための図である。
【図４】本考案の第１の実施形態に係る仮設電柱支持具を用いて仮設電柱を設置する際の流れの一例を説明するための図である。
【図５】本考案の第１の実施形態に係る仮設電柱支持具を用いて仮設電柱を設置する際の流れの一例を説明するための図である。
【図６】本考案の第１の実施形態に係る仮設電柱支持具の他の構成の一例を示す図である。
【図７】本考案の第１の実施形態に係る仮設電柱支持具の他の構成の一例を示す図である。
【図８】本考案の第２の実施形態に係る仮設電柱支持具の構成の一例を示す図である。
【図９】図８で示す仮設電柱支持具と、仮設電柱支持具に挿入される仮設電柱用ポール及び埋没用ポールの構成の一例を示す図である。
【考案を実施するための形態】
【００１４】
＜実施形態１＞
本考案の第１の実施形態を、図１乃至図７を参照して説明する。図１は、仮設電柱支持具１の構成の一例を示す図である。図２は、仮設電柱支持具１と、仮設電柱支持具１に挿入される仮設電柱用ポール２１及び埋没用ポール２２の構成の一例を示す図である。図３乃至図５は、仮設電柱支持具１を用いて仮設電柱を設置する際の流れの一例を説明するための図である。図６、図７は、仮設電柱支持具１の他の構成の一例を示す図である。
【００１５】
本実施形態においては、建設現場などにおいて電気を引き込むために設置する仮設電柱を設置する際に用いる仮設電柱支持具１について説明する。後述するように、本実施形態における仮設電柱支持具１は、上側板状部１１と下側板状部１２とを開いた状態（例えば、上側板状部１１と下側板状部１２とで形成される角度が約９０度の状態）で上側筒状連結部１３に仮設電柱用ポール２１を挿入する。その後、仮設電柱用ポール２１を上側筒状連結部１３に挿入した状態で仮設電柱用ポール２１を引き上げることで、上側板状部１１と下側板状部１２とを当接させる。そして、上側板状部１１と下側板状部１２との当接状態をボルト３などの固定手段により固定する。これにより、仮設電柱用ポール２１が直立した状態で固定されることになる。
【００１６】
図１で示すように、本実施形態における仮設電柱支持具１は、上側板状部１１と下側板状部１２と上側筒状連結部１３と下側筒状連結部１４とヒンジ部１５とを有している。
【００１７】
上側板状部１１（一方の板状部材）及び下側板状部１２（他方の板状部材）は、例えば金属製の板材である。上側板状部１１及び下側板状部１２は、上側板状部１１のうちの一方の面（当接面）と下側板状部１２のうちの一方の面（当接面）とが当接した状態から離反した状態へと開閉可能なよう、ヒンジ部１５（接続手段）を介して開閉可能に接続されている。
【００１８】
図１で示すように、上側板状部１１及び下側板状部１２は、当接面が四角形状の平坦な面である板状の形状を有している。また、上側板状部１１及び下側板状部１２のうちのヒンジ部１５を有する側とは反対側の所定位置（例えば、ヒンジ部１５を有する側とは反対側の端部付近の真ん中部分）には、ボルト３などの固定手段を挿通するための貫通孔が設けられている。換言すると、上側板状部１１の所定位置には貫通孔１１１が設けられており、下側板状部１２の所定位置（例えば、上側板状部１１に貫通孔１１１が設けられている位置に対応する位置）には貫通孔１２１が設けられている。貫通孔１１１、貫通孔１２１には、上側板状部１１の当接面と下側板状部１２の当接面とが当接した状態でボルト３やなどの固定手段が挿通され、ナットなどにより固定される（ワッシャー、スプリングワッシャーなどを用いても構わない）。これにより、上側板状部１１と下側板状部１２との当接状態が固定されることになる。
【００１９】
また、上側板状部１１のうちの当接面とは反対側の面上には、上側筒状連結部１３が設けられている。つまり、上側板状部１１のうち、当該上側板状部１１と下側板状部１２とを当接させた際に当該下側板状部１２と当接する当接面とは反対側の面には、上側筒状連結部１３が設けられている。
【００２０】
図１、図２で示すように、上側筒状連結部１３（第１の連結部材）は、上側板状部１１のうちの当接面とは反対側の面の略中央部に突設されている。上側筒状連結部１３は、内部に仮設電柱用ポール２１を挿入可能な広さを有する円筒状の形状（つまり、長手方向に対する垂直方向の断面の外形は円形形状）であり、円筒状の内部に仮設電柱用ポール２１を挿入することで、仮設電柱用ポール２１と連結される。換言すると、上側筒状連結部１３は、挿入される仮設電柱用ポール２１の径に応じた内径を有している。上側筒状連結部１３のうちの上側板状部１１側の端部から反対側の端部までの長さは、例えば、約３００〜４００ｍｍである。
【００２１】
上側筒状連結部１３は、上側板状部１１と同様に、例えば金属製である。上側筒状連結部１３は、上側板状部１１の当接面とは反対側の面の上記所定箇所に例えば溶接により固定されることで、上側板状部１１に設けられている。なお、上側筒状連結部１３は、上側板状部１１の当接面側で溶接されても構わない。つまり、上側板状部１１に上側筒状連結部１３の径に応じた貫通孔を設け、上側筒状連結部１３を上側板状部１１の貫通孔に挿通させた後、上側板状部１１と上側筒状連結部１３とを溶接しても構わない。
【００２２】
また、下側板状部１２のうちの当接面とは反対側の面上には、下側筒状連結部１４が設けられている。つまり、下側板状部１２のうち、当該下側板状部１２と上側板状部１１とを当接させた際に当該上側板状部１１と当接する当接面とは反対側の面には、下側筒状連結部１４が設けられている。
【００２３】
図１、図２で示すように、下側筒状連結部１４（第２の連結部材）は、下側板状部１２のうちの当接面とは反対側の面の略中央部に突設されている。下側筒状支持連結部１４は、内部に埋没用ポール２２を挿入可能な広さを有する円筒状の形状（つまり、長手方向に対する垂直方向の断面の外径は円形形状）であり、円筒状の内部に埋没用ポール２２を挿入することで、埋没用ポール２２と連結される。換言すると、下側筒状連結部１４は、挿入される埋没用ポール２２の径に応じた内径を有している。下側筒状連結部１４のうちの下側板状部１２側の端部から反対側の端部までの長さは、例えば、約３００〜４００ｍｍである。
【００２４】
下側筒状連結部１４は、下側板状部１２と同様に、例えば金属製である。下側筒状連結部１４は、下側板状部１２の当接面とは反対側の面の上記所定箇所に例えば溶接により固定されることで、下側板状部１２に設けられている。なお、下側筒状連結部１４は、下側板状部１２の当接面側で溶接されても構わない。つまり、下側板状部１２に下側筒状連結部１４の径に応じた貫通孔を設け、下側筒状連結部１４を下側板状部１２の貫通孔に挿通させた後、下側板状部１２と下側筒状連結部１４とを溶接しても構わない。
【００２５】
仮設電柱支持具１は、例えば、上記のような構成を有している。
【００２６】
ここで、図２で示すように、上記構成のうち、上側筒状連結部１３には、仮設電柱用ポール２１が挿入されることになる。また、下側筒状連結部１４には、埋没用ポール２２が挿入されることになる。
【００２７】
仮設電柱用ポール２１は、円柱状の形状を有するポールである。仮設電柱用ポール２１は、例えば、４ｍ〜６．３ｍ程度の長さを有している。仮設電柱用ポール２１は、上側筒状連結部１３の内径に応じた径を有しており、上側筒状連結部１３の内部に挿入可能なよう構成されている。仮設電柱用ポール２１は、上側筒状連結部１３の内部に挿入することで、当該上側筒状連結部１３と連結されることになる。
【００２８】
仮設電柱用ポール２１は、既存の仮設電柱用のポールなどの各種ポールを流用することが出来る。仮設電柱用ポール２１は、伸縮機能を有していても構わない。なお、仮設電柱用ポール２１の素材は特に限定されない。仮設電柱用ポール２１は、例えば、金属製やコンクリート製などであって構わない。
【００２９】
埋没用ポール２２は、円柱状の形状を有するポールである。埋設用ポール２２は、例えば、０．８ｍ〜２．３ｍ程度の長さを有している。埋没用ポール２２は、下側筒状連結部１４の内径に応じた径を有しており、下側筒状連結部１４の内部に挿入可能なよう構成されている。埋没用ポール２２は、下側筒状連結部１４の内部に挿入することで、当該下側筒状連結部１４と連結されることになる。
【００３０】
埋没用ポール２２は、既存の仮設電柱用のポールなどの各種ポールを流用することが出来る。なお、埋没用ポール２２の素材も特に限定されない。埋没用ポール２２は、例えば、金属製やコンクリート製などであって構わない。
【００３１】
以上が、各構成の一例についての説明である。続いて、仮設電柱支持具１を用いて仮設電柱を設置する際の動作の一例について、図３乃至図５を参照して説明する。
【００３２】
図３を参照すると、まず、埋没用ポール２２を下側筒状連結部１４の内部に挿入した状態で、埋没用ポール２２と下側筒状連結部１４とを地面に予め設けた穴の内部に挿入する。
【００３３】
上記動作により、埋没用ポール２２と下側筒状連結部１４とが地中に埋没することになる。
【００３４】
続いて、図３、図４で示すように、上側板状部１１と下側板状部１２とが離反した状態（例えば、上側板状部１１と下側板状部１２とで形成される角が９０度以上の鈍角の状態）で、仮設電柱用ポール２１を上側筒状連結部１３の内部に挿入する。
【００３５】
そして、図４を参照すると、仮設電柱用ポール２１を上側筒状連結部１３に挿入した状態で、仮設電柱用ポール２１を引き上げる（引き起こす）。これにより、上側板状部１１と下側板状部１２とを当接させる。その結果、図５で示すように、仮設電柱用ポール２１が直立した状態となる。
【００３６】
その後、図５を参照すると、上側板状部１１の貫通孔１１１と下側板状部１２の貫通孔１２１とにボルト３などの固定手段を挿通して、上側板状部１１と下側板状部１２との当接状態を固定する。これにより、仮設電柱用ポール２１が直立した状態で固定されることになる。
【００３７】
このように、本実施形態によると、仮設電柱支持具１は、ヒンジ部１５を介して接続された上側板状部１１と下側板状部１２とを有している。また、上側板状部１１には上側筒状連結部１３が設けられており、下側板状部１２には下側筒状連結部１４が設けられている。このような構成により、比較的短い長さの埋没用ポール２２と下側筒状連結部１４とを地中に予め埋没させ、その後、上側筒状連結部１３の内部に挿入した仮設電柱用ポール２１を引き上げることで、仮設電柱を設置することが可能となる。その結果、一本の仮設電柱を設置する場合と比較して、容易な方法で仮設電柱を設置することが可能となる。また、本実施形態における仮設電柱支持具１によると、既存の仮設電柱用のポールなどを流用した仮設電柱用ポール２１と埋没用ポール２２とを用いることが出来る。その結果、専用の構造を有する仮設電柱を製造する場合と比較して、設置費用を低減させることが可能となる。
【００３８】
なお、仮設電柱支持具１が有するヒンジの数は１つに限定されない。例えば、図６で示すように、上側板状部１１と下側板状部１２とは、２つのヒンジ（ヒンジ部１５１、ヒンジ部１５２）を介して接続されていても構わない。仮設電柱支持具１が有するヒンジの数は、３つ以上であっても構わない。
【００３９】
また、上側板状部１１と下側板状部１２の当接面の形状は、本実施形態で説明した場合に限定されない。例えば、図７で示すように、上側板状部１１の代わりに、略三角形状の当接面を有する上側板状部１１Ａを用いても構わない。また、同様に、下側板状部１２の代わりに、略三角形状の当接面を有する下側板状部１２Ａを用いても構わない。上側板状部１１と下側板状部１２の当接面の形状は、上記説明した以外の形状（例えば、円形の形状など）であっても構わない。なお、上側板状部１１の当接面の形状と下側板状部１２の当接面の形状とは、上側板状部１１と下側板状部１２とで一致していることが望ましい。
【００４０】
また、上側板状部１１及び下側板状部１２に形成される貫通孔の数は、１つに限定されない。上側板状部１１及び下側板状部１２には、２以上の複数の貫通孔が形成されていても構わない。
【００４１】
また、上側筒状連結部１３の内径と下側筒状連結部１４の内径とは、必ずしも一致していなくても構わない。換言すると、仮設電柱支持具１に挿入される仮設電柱用ポール２１の径と埋没用ポール２２の径とは、必ずしも一致していなくても構わない。
【００４２】
例えば、下側筒状連結部１４の内径が上側筒状連結部１３の内径よりも大きくなるよう形成しても構わない。このように構成することで、地中に埋没する埋没用ポール２２の径の方が、仮設電柱用ポール２１の径よりも大きくなる。その結果、地中に埋没している埋没用ポール２２及び下側筒状連結部１４の強度をより高めることが可能となり、より強固な仮設電柱を設置することが可能となる。
【００４３】
また、仮設電柱用ポール２１及び埋没用ポール２２の長さは、本実施形態で説明した場合に限定されない。仮設電柱用ポール２１及び埋没用ポール２２は、任意の長さを採ることが出来る。なお、埋没用ポール２２の長さは、埋没用ポール２２と仮設電柱用ポール２１との長さの合計の１／６程度になるよう調整することが望ましい。
【００４４】
また、上側筒状連結部１３及び下側筒状連結部１４の長さは、本実施形態において例示した範囲に限定されない。上側筒状連結部１３及び下側筒状連結部１４の長さは、例えば、仮設電柱用ポール２１及び埋没用ポール２２の長さに応じて任意の長さに調整することが出来る。
【００４５】
［第２の実施形態］
次に、本考案の第２の実施形態を、図８、図９を参照して説明する。図８は、仮設電柱支持具４の構成の一例を示す図である。図９は、仮設電柱支持具４と、仮設電柱支持具４に支持される仮設電柱用ポール５１及び埋没用ポール５２の構成の一例を示す図である。
【００４６】
本実施形態においては、第１の実施形態と同様に、建設現場などにおいて電気を引き込むために設置する仮設電柱を設置する際に用いる仮設電柱支持具４について説明する。
【００４７】
図８で示すように、仮設電柱支持具４は、上側板状部４１と下側板状部４２と上側連結部４３と下側連結部４４とを有している。また、仮設電柱支持具４は、ヒンジ部１５の代わりにＬ字型の金具４１２、４１３（接続手段）を有している。
【００４８】
上側板状部４１（一方の板状部材）及び下側板状部４２（他方の板状部材）は、例えば金属製の板材である。上側板状部４１及び下側板状部４２は、上側板状部４１のうちの一方の面（当接面）と下側板状部４２のうちの一方の面（当接面）とが当接した状態から離反した状態へと開閉可能なよう、金具４１２、４１３（接続手段）を介して開閉可能に接続されている。
【００４９】
図８で示すように、上側板状部４１及び下側板状部４２は、当接面が略三角形状の平坦な面である板状の形状を有している。また、上側板状部４１及び下側板状部４２のうちの金具４１２、４１３を有する側とは反対側の所定位置（例えば、金具４１２、４１３を有する側とは反対側の端部付近の真ん中部分）には、ボルト３などの固定手段を挿通するための貫通孔が設けられている。換言すると、上側板状部４１の所定位置には貫通孔４１１が設けられており、下側板状部４２の所定位置（例えば、上側板状部４１に貫通孔４１１が設けられている位置に対応する位置）には貫通孔４２１が設けられている。貫通孔４１１、貫通孔４２１には、上側板状部４１の当接面と下側板状部４２の当接面とが当接した状態でボルト３やなどの固定手段が挿通され、ナットなどにより固定される（ワッシャー、スプリングワッシャーなどを用いても構わない）。これにより、上側板状部４１と下側板状部４２との当接状態が固定されることになる。
【００５０】
上述したように、本実施形態における上側板状部４１及び下側板状部４２は、上側板状部４１の当接面と下側板状部４２の当接面とが当接した状態から離反した状態へと開閉可能なよう、Ｌ字型の金具４１２、４１３を介して接続されている。具体的には、上側板状部４１の所定位置には、金具４１２、４１３が設けられている。また、下側板状部４２のうち金具４１２、４１３が設けられている位置に応じた位置には、貫通孔４２２、４２３が設けられている。そして、下側板状部４２に設けられた貫通孔４２２、４２３に金具４１２、４１３が挿通している。このような構成により、Ｌ字型に形成された金具４１２、４１３のうち折れ曲がっている部分より上側板状部４１側の部分が貫通孔４２２、４２３に挿通している状態の場合、上側板状部４１と下側板状部４２とは閉じた状態となることになる。一方、折れ曲がっている部分より外側（上側板状部４１側とは反対側）の部分が貫通孔４２２、４２３に挿通している状態の場合、上側板状部４１と下側板状部４２とは開いた状態となることになる。
【００５１】
また、本実施形態における上側板状部４１の中央部には上側連結部４３の径に応じた貫通孔が設けられており、板側板状部４２の中央部には、下側連結部４４の径に応じた貫通孔が設けられている。
【００５２】
上側連結部４３（第１の連結部材）は、例えば金属製であり、上側板状部４１のうち当接面側とは反対側に突出している。上側連結部４３は、上側板状部４１に設けられた貫通孔を挿通した後、当接面側で上側板状部４１と溶接されている。
【００５３】
本実施形態における上側連結部４３は、図９で示すように、円筒状の形状を有する仮設電柱用ポール５１の内部に挿入可能なよう形成された円柱状の形状（つまり、長手方向に対する垂直方向の断面の外形は円形形状）を有している（円筒状であっても構わない）。上側連結部４３は、仮設電柱用ポール５１の内部に当該上側連結部４３を挿入することで、仮設電柱用ポール５１と上側連結部４３とを連結する。このように、上側連結部４３は、仮設電柱用ポール５１の内径に応じた径を有している。
【００５４】
下側連結部４４（第２の連結部材）は、例えば金属製であり、下側板状部４２のうち当接面側とは反対側に突出している。下側連結部４４は、下側板状部４２に設けられた貫通孔を挿通した後、当接面側で下側板状部４２と溶接されている。
【００５５】
本実施形態における下側連結部４４は、図９で示すように、円筒状の形状を有する埋没用ポール５２の内部に挿入可能なよう形成された円柱状の形状（つまり、長手方向に対する垂直方向の断面の外形は円形形状）を有している（円筒状であっても構わない）。下側連結部４４は、埋没用ポール５２の内部に当該下側連結部４４を挿入することで、埋没用ポール５２と下側連結部４４とを連結する。このように、下側連結部４４は、埋没用ポール５２の内径に応じた径を有している。
【００５６】
仮設電柱支持具４は、例えば、上記のような構成を有している。
【００５７】
また、上述したように、本実施形態における仮設電柱用ポール５１は、円筒状の形状を有するポールである。仮設電柱用ポール５１は、上側連結部４３の径に応じた内径を有しており、内部に上側連結部４３を挿入可能なよう構成されている。なお、少なくとも上側連結部４３が挿通する範囲が円筒状であれば、それ以外の部分は例えば円柱状などの形状であっても構わない。
【００５８】
また、同様に、埋没用ポール５２は、円筒状の形状を有するポールである。埋設用ポール５２は、下側連結部４４の径に応じた内径を有しており、内部に下側連結部４４を挿入可能なよう構成されている。なお、なお、少なくとも下側連結部４４が挿通する範囲が円筒状であれば、それ以外の部分は例えば円柱状などの形状であっても構わない。
【００５９】
また、埋没用ポール５２の任意の箇所には、一対の貫通孔５２１が設けられている。貫通孔５２１は、撤去時に埋没用ポール５２を抜き取る際に利用されることになる。
【００６０】
以上が、第２の実施形態における各構成の一例についての説明である。
【００６１】
本実施形態における仮設電柱支持具４は、第１の実施形態で説明した仮設電柱支持具１と同様に用いられる。すなわち、埋没用ポール５２の内側に下側連結部４４を挿入した状態で、埋没用ポール５２と下側連結部４４とを地中に埋没する。続いて、上側板状部４１と下側板状部４２とが離反した状態で、仮設電柱用ポール５１の内部に上側連結部４３を挿入する。そして、上側板状部４１と下側板状部４２とを当接させ、当該当接した状態を固定する。これにより、仮設電柱用ポール５１が直立した状態で固定されることになる。
【００６２】
なお、本実施形態における仮設電柱支持具４、仮設電柱用ポール５１、埋没用ポール５２は、第１の実施形態で説明した場合と同様の様々な変形例を採用することが出来る。
【００６３】
以上、上記各実施形態を参照して本願考案を説明したが、本願考案は、上述した実施形態に限定されるものではない。本願考案の構成や詳細には、本願考案の範囲内で当業者が理解しうる様々な変更をすることが出来る。
【符号の説明】
【００６４】
１  仮設電柱支持具
１１、１１Ａ  上側板状部
１２、１２Ａ  下側板状部
１３  上側筒状連結部
１４  下側筒状連結部
１５、１５１、１５２  ヒンジ部
２１  仮設電柱用ポール
２２  埋没用ポール
３  ボルト
４  仮設電柱支持具
４１  上側板状部
４１１  貫通孔
４１２  金具
４１３  金具
４２  下側板状部
４２１  貫通孔
４２２  貫通孔
４２３  貫通孔
４３  上側連結部
４４  下側連結部
５１  仮設電柱用ポール
５２  埋没用ポール
５２１  貫通孔
【図１】
0003205639.tif 000003
【図２】
0003205639.tif 000004
【図３】
0003205639.tif 000005
【図４】
0003205639.tif 000006
【図５】
0003205639.tif 000007
【図６】
0003205639.tif 000008
【図７】
0003205639.tif 000009
【図８】
0003205639.tif 000010
【図９】
0003205639.tif 000011